(57)【要約】【課題】室内の壁に対して簡単に壁パネルを取り付けることができる室内壁構造、室内壁構造の施工方法および室内壁構造作製キットを提供する。【解決手段】壁パネル１が、当該壁パネル１の下面をトイレの室内７の床面から離間させて取り付けられており、上記室内７の床面側の幅木の影響を受けずに、上記壁パネル１を上記室内の壁に容易に取り付けることができる。また、上記壁パネル１の下面が、上記室内の床面から４００ｍｍ以上７００ｍｍ以下の高さに位置していると、例えば、トイレの室内７の便器７２の近くの壁に上記壁パネルを取り付ける場合でも、上記便器７２の上方に工具を位置させて上記壁パネルを留め付けることが可能である。【選択図】図１
2020159075.tif 000002
【特許請求の範囲】
【請求項１】
室内の壁に壁パネルが取り付けられる室内壁構造であって、上記壁パネルが、当該壁パネルの下面を上記室内の床面から離間させて取り付けられることを特徴とする室内壁構造。
【請求項２】
請求項１に記載の室内壁構造において、上記壁パネルの下面が、上記室内の床面から４００ｍｍ以上７００ｍｍ以下の高さに位置することを特徴とする室内壁構造。
【請求項３】
請求項１または請求項２に記載の室内壁構造において、上記壁パネルの表側面には、少なくとも横配置の第１手摺が取り付けられ、この第１手摺の上下方向中心が、上記壁パネルの下面から５０ｍｍ以上２５０ｍｍ以下の高さに位置することを特徴とする室内壁構造。
【請求項４】
請求項１〜請求項３のいずれか１項に記載の室内壁構造において、上記壁パネルの表側面には、紙巻器が取り付けられ、この紙巻器の天端が、上記壁パネルの下面から１００ｍｍ以上４５０ｍｍ以下の高さに位置することを特徴とする室内壁構造。
【請求項５】
請求項１〜請求項４のいずれか１項に記載の室内壁構造の施工方法であって、上記壁パネルの下面を上記室内の床面から離間させるように、上記室内の壁に横桟を取り付けて係合凹部を作製する段階と、上記壁パネルの背面側の係合凸部を上記係合凹部に係合する段階と、上記壁パネルの上部を上記室内の壁に固定する段階と、を含むことを特徴とする室内壁構造の施工方法。
【請求項６】
請求項５に記載の室内壁構造の施工方法において、室内の床面に置かれて上記横桟の少なくとも高さ位置について位置決めする治具を用いて上記横桟を位置決めすることを特徴とする室内壁構造の施工方法。
【請求項７】
高さが１０００ｍｍ以上１３００ｍｍ以下であって室内の床面から下面を離間させた取り付けが可能な壁パネルと、上記壁パネルに取り付けられる少なくとも横配置の第１手摺とを備えており、上記壁パネルには、上記第１手摺が、当該第１手摺の上下方向中心を上記壁パネルの下面から５０ｍｍ以上２５０ｍｍ以下の高さに位置させて取り付けられているか、または、上記第１手摺を上記高さで取り付けるために、上記第１手摺を固定する締結部材の締結用穴が加工済であることを特徴とする室内壁構造作製キット。
【請求項８】
高さが１０００ｍｍ以上１３００ｍｍ以下であって室内の床面から下面が離間した取り付けが可能な壁パネルと、上記壁パネルに取り付けられる紙巻器を備えており、上記壁パネルには、上記紙巻器が、当該紙巻器の天端を上記壁パネルの下面から１００ｍｍ以上４５０ｍｍ以下の高さに位置させて取り付けられているか、または、上記紙巻器を上記高さで取り付けるために、上記紙巻器を固定する締結部材の締結用穴が加工済であることを特徴とする室内壁構造作製キット。
【請求項９】
請求項７または請求項８に記載の室内壁構造作製キットにおいて、上記壁パネルを室内の壁に取り付けるための横桟と、室内の床面に置かれて上記横桟の少なくとも高さ位置について位置決めする治具と、をさらに備えることを特徴とする室内壁構造作製キット。
【発明の詳細な説明】
【技術分野】
【０００１】
この発明は、室内壁構造、室内壁構造の施工方法および室内壁構造作製キットに関する。
【背景技術】
【０００２】
特許文献１には、トイレ室に設置される壁パネルにおいて、電灯、足元灯、手洗器、化粧鏡、手摺、タオル掛け、ペーパーホルダー等のアクセサリー部材を予め取り付けた状態でアッセンブル化して施工現場に運ぶことが開示されている。
【０００３】
また、特許文献２には、乾式パネル工法で組み立てられるトイレルームユニットにおいて、壁パネルを腰下の腰下壁パネルと腰上の腰上壁パネルとの２分割構造にし、腰下壁パネルを腰上壁パネルよりも耐水性の高い材質で形成したトイレルームユニットが開示されている。
【先行技術文献】
【特許文献】
【０００４】
【特許文献１】実開平７−３２０４２号公報
【特許文献２】特開平６−７３８１３号公報
【発明の概要】
【発明が解決しようとする課題】
【０００５】
しかしながら、上記従来の構造は、室内の壁に対して簡単に壁パネルを取り付けることができる構造ではなかった。
【０００６】
この発明は、室内の壁に対して簡単に壁パネルを取り付けることができる室内壁構造、室内壁構造の施工方法および室内壁構造作製キットを提供する。
【課題を解決するための手段】
【０００７】
この発明の室内壁構造は、上記の課題を解決するために、室内の壁に壁パネルが取り付けられる室内壁構造であって、上記壁パネルが、当該壁パネルの下面を上記室内の床面から離間させて取り付けられることを特徴とする。
【０００８】
上記の構成であれば、上記壁パネルが、当該壁パネルの下面を上記室内の床面から離間させて取り付けられるので、上記室内の床面側の幅木の影響を受けずに、上記壁パネルを上記室内の壁に簡単に取り付けることができる。
【０００９】
上記壁パネルの下面が、上記室内の床面から４００ｍｍ以上７００ｍｍ以下の高さに位置してもよい。これによれば、例えば、トイレ室内の便器の近くの壁に上記壁パネルを取り付ける場合でも、上記便器の上方に工具を位置させて上記壁パネルを固定するための横桟を壁に留め付けることが可能になる。すなわち、家屋の建築途中における便器の設置前の段階から便器の設置後の段階、さらには、築後も含む、長期間に渡って、上記壁パネルを壁に取り付けることができる。
【００１０】
上記壁パネルの表側面には、少なくとも横配置の第１手摺が取り付けられ、この第１手摺の上下方向中心が、上記壁パネルの下面から５０ｍｍ以上２５０ｍｍ以下の高さに位置してもよい。これによれば、上記壁パネルを、室内の床面から離間させて、上記第１手摺を適切な高さに配置できる。
【００１１】
上記壁パネルの表側面には、紙巻器が取り付けられ、この紙巻器の天端が、上記壁パネルの下面から１００ｍｍ以上４５０ｍｍ以下の高さに位置してもよい。これによれば、上記壁パネルを、室内の床面から離間させて、上記紙巻器を適切な位置に配置できる。
【００１２】
この発明の室内壁構造の施工方法は、上記室内壁構造の施工方法であって、上記壁パネルの下面を上記室内の床面から離間させるように、上記室内の壁に横桟を取り付けて係合凹部を作製する段階と、上記壁パネルの背面側の係合凸部を上記係合凹部に係合する段階と、上記壁パネルの上部を上記室内の壁に固定する段階と、を含むことを特徴とする。
【００１３】
上記の方法であれば、簡単な作業で室内の壁に壁パネルを取り付けることができる。
【００１４】
上記の室内壁構造の施工方法において、室内の床面に置かれて上記横桟の少なくとも高さ位置について位置決めする治具を用いて上記横桟を位置決めしてもよい。これによれば、上記横桟の配置についての墨出し作業が不要になり、また、上記横桟を治具で位置決めした状態で当該横桟の固定または仮固定を行えばよいので、上記壁パネルの固定作業を一人で行うことも可能になる。
【００１５】
また、この発明の室内壁構造作製キットは、高さが１０００ｍｍ以上１３００ｍｍ以下であって室内の床面から下面を離間させた取り付けが可能な壁パネルと、上記壁パネルに取り付けられる少なくとも横配置の第１手摺とを備えており、上記壁パネルには、上記第１手摺が、当該第１手摺の上下方向中心を上記壁パネルの下面から５０ｍｍ以上２５０ｍｍ以下の高さに位置させて取り付けられているか、または、上記第１手摺を上記高さで取り付けるために、上記第１手摺を固定する締結部材の締結用穴が加工済である。これによれば、上記壁パネルを、室内の床面から離間させて、上記第１手摺を適切な高さに配置できる。
【００１６】
また、この発明の室内壁構造作製キットは、高さが１０００ｍｍ以上１３００ｍｍ以下であって室内の床面から下面が離間した取り付けが可能な壁パネルと、上記壁パネルに取り付けられる紙巻器を備えており、上記壁パネルには、上記紙巻器が、当該紙巻器の天端を上記壁パネルの下面から１００ｍｍ以上４５０ｍｍ以下の高さに位置させて取り付けられているか、または、上記紙巻器を上記高さで取り付けるために、上記紙巻器を固定する締結部材の締結用穴が加工済であることを特徴とする。これによれば、上記壁パネルを、室内の床面から離間させて、上記紙巻器を適切な高さに配置できる。
【００１７】
上記室内壁構造作製キットは、上記壁パネルを室内の壁に取り付けるための横桟と、室内の床面に置かれて上記横桟の少なくとも高さ位置について位置決めする治具と、をさらに備えてもよい。これによれば、上記横桟の配置についての墨出し作業が不要になり、また、上記壁パネルの固定作業を一人で行うことも可能になる。
【発明の効果】
【００１８】
本発明であれば、室内の壁に対して簡単に壁パネルを取り付けることができる等の効果を奏する。
【図面の簡単な説明】
【００１９】
【図１】この実施形態の室内壁構造を示した斜視説明図である。
【図２】同図（Ａ）および同図（Ｂ）は、この実施形態の室内壁構造の施工方法を示した斜視説明図であり、同図（Ｃ）は横桟固定部位の概略の断面図である。
【図３】図１の室内壁構造における壁パネルの背面に設けられる係合凸部を示した概略の断面図である。
【図４】この実施形態の室内壁構造の施工方法を示した斜視説明図である。
【図５】同図（Ａ）および同図（Ｂ）は、この実施形態の室内壁構造の施工方法における壁パネルの壁への取り付けを示した概略の断面図である。
【図６】この実施形態の室内壁構造の施工方法を示した斜視説明図である。
【図７】この実施形態の室内壁構造の施工方法を示した斜視説明図である。
【図８】この実施形態の室内壁構造の施工方法を示した斜視説明図である。
【図９】同図（Ａ）この実施形態の室内壁構造の施工方法を示した斜視説明図であり、同図（Ｂ）は、異なるタイプの手摺を有する壁パネルに紙巻器を取り付ける様子を示した斜視説明図である。
【発明を実施するための形態】
【００２０】
以下、この発明の一態様に係る実施形態を添付図面に基づいて説明する。図１に示すように、この実施形態の室内壁構造は、例えば、トイレの室内７の壁７１に壁パネル１が取り付けられる室内壁構造である。
【００２１】
上記壁パネル１は、当該壁パネル１の下面１ｅを上記室内７の床面から離間させて取り付けられており、上記室内７の床面から上記壁パネル１の下面１ｅまでの高さは、例えば、５００ｍｍに設定されている。もちろん、この高さに限定されず、上記室内７の床面から上記壁パネル１の下面１ｅまでの高さは、例えば、上記高さは４００ｍｍ以上７００ｍｍ以下の範囲に設定される。一方、上記壁パネル１の奥端部は、例えば、上記室内７の奥壁に接しているが、上記室内７の奥壁から離間していてもよい。
【００２２】
上記床面から便器７２の蓋の上面までの高さは、例えば、４５０ｍｍである。また、この例では、上記壁パネル１は、上記便器７２に着座した人の右側に位置するが、着座した人の左側に位置させる態様も設定できる。
【００２３】
上記壁パネル１の表側面には、手摺２１が取り付けられている。この手摺２１は、横配置の第１手摺２１ａおよび縦配置の第２手摺２１ｂを有する。さらに詳しくは、上記第１手摺２１ａの上下方向中心は、上記壁パネル１の下面１ｅから５０ｍｍ以上２５０ｍｍ以下（望ましくは、１００ｍｍ以上２００ｍｍ以下）の高さに位置しており、この実施形態では、１５０ｍｍ程度の高さに位置する。これによれば、上記壁パネル１を、室内７の床面から離間させて、上記第１手摺２１ａを適切な位置に配置できる。
【００２４】
また、上記第１手摺２１ａおよび第２手摺２１ｂの延長線の交差する箇所には、トイレットペーパー（ロール）を支持する紙巻器２２が上記壁パネル１に取り付けられる。さらに詳しくは、上記紙巻器２２の天端は、上記壁パネル１の下面１ｅから１００ｍｍ以上３００ｍｍ以下（望ましくは、１５０ｍｍ以上２５０ｍｍ以下）の高さに位置しており、この実施形態では、２００ｍｍ程度の高さに位置する。これによれば、上記壁パネル１を、室内７の床面から離間させて、上記紙巻器２２を適切な位置に配置できる。
【００２５】
さらに、上記壁パネル１には、上記第１手摺２１ａの上側の位置であって且つ上記第２手摺２１ｂの右側位置において呼び出し器２３が取り付けられている。この呼び出し器２３の呼び出しは、例えば音の発生やナースセンターへの通知等により行われ、呼び出し器２３の下側から垂下された紐２３ａを引くことで上記の呼び出しが実行される。
【００２６】
上記壁パネル１の上部には、当該壁パネル１の幅と同幅の長さを有するカウンター３が取り付けられている。このカウンター３上にトイレットペーパー等を置くことができる。また、上記カウンター３によって上記壁パネル１の上部が露呈しないようにできる。
【００２７】
上記の室内壁構造であれば、上記壁パネル１が、当該壁パネル１の下面を上記室内７の床面から離間させて取り付けられるので、上記室内７の床面側の幅木の影響を受けずに、上記壁パネル１を上記室内７の壁７１に容易に取り付けることができる。
【００２８】
上記壁パネル１の下面が、上記室内７の床面から４００ｍｍ以上７００ｍｍ以下の範囲に位置すると、上記室内７の便器７２の近くの壁７１に上記壁パネル１を取り付ける場合でも、上記便器７２の上方に工具を位置させて上記壁パネル１を固定するための上記横桟１１を上記壁７１に留め付けることができる。すなわち、家屋の建築途中における便器７２の設置前の段階から便器７２の設置後の段階、さらには、築後も含む、長期間に渡って、上記壁パネル１を上記壁７１に取り付けることができる。また、壁パネル１と便器７２との施工順序の融通性が高くなる
【００２９】
次に、室内壁構造の施工方法について説明する。この施工方法では、図２（Ａ）、図２（Ｂ）、図２（Ｃ）に示すように、横桟１１を上記壁７１に締結部材であるタッピングネジ１００をねじ込んで固定する。なお、この実施形態では、タッピングネジ１００がねじ込まれる箇所には、厚さ１．２ｍｍの下地鉄板７１ａが石こうボード７１ｂの背面側に設けられている。上記横桟１１の背面側の上側には、段状部１１ａが形成されており、当該横桟１１の背面側を上記壁７１に向けて当てることで、上記段状部１１ａと上記壁７１との間に係合凹部１１ｂが形成される。上記横桟１１の水平方向の両端には、上記段状部１１ａは形成されておらず、上記係合凹部１１ｂも存在しない。また、上記横桟１１における上記係合凹部１１ｂの上部側には、壁側に下り傾斜する傾斜部１１ｃが形成されている。
【００３０】
上記横桟１１は、治具４を用いて位置決めすることができる。上記治具４は、上記室内７の床面上に置かれ且つ奥壁と上記壁７１との隅角に当てて用いられる。上記治具４の上部には、段部４ａが形成されており、この段部４ａによって、当該治具４の上端面より低い位置に受け面４１が形成されている。上記受け面４１に上記横桟１１を仮置くことで、上記横桟１１を上記床面からの所定の高さに仮配置できる。また、上記受け面４１に上記横桟１１を置くことにより、上記治具４の上記上端面の幅で、上記横桟１１が、上記奥壁から所定距離離れて位置する。
【００３１】
上記治具４によって、上記横桟１１の一端側の高さ位置と奥壁からの距離を決め、当該横桟１１を、水平状態にして、上記壁７１にタッピングネジ１００で固定する。
【００３２】
図３に示すように、上記壁パネル１の背面側には、当該壁パネル１の上下左右の周囲背面部１ｄよりも凹とされた凹状背面部１ａが形成されている。また、上記凹状背面部１ａ内には、背面方向に突出する係合凸部１ｂが取り付けられている。この係合凸部１ｂは、例えば、上記壁パネル１の工場出荷段階で当該壁パネル１に取り付け済である。
【００３３】
上記係合凸部１ｂは、溶接により互いに固定された上側のＬアングル部と下側の曲げ鋼板部とからなり、ビス１０１によって上記壁パネル１の背面側に固定されている。上記曲げ鋼板部には、上記壁パネル１の背面側から離間した位置で下向きに曲がってさらに上側に折り返された二重板部１ｃが形成されている。上記二重板部１ｃの厚みは、上記係合凹部１１ｂの凹寸法と略同じになっており、また、上記二重板部１ｃの下側には、上記折り返しによって丸みが形成されている。また、上記二重板部１ｃの最も背面側の面は、上記周囲背面部１ｄと略面一になっている。なお、上記壁パネル１の下側には、上記横桟１１を通すための開口が形成されている。
【００３４】
次に、図４および図５（Ａ）に示すように、上記壁パネル１の背面側を、上記室内７の上記壁７１に向け、また、上記係合凸部１ｂを上記係合凹部１１ｂよりも上に位置させた状態で、上記壁パネル１を下げると、図５（Ｂ）に示すように、上記係合凹部１１ｂに上記係合凸部１ｂが係合する。この実施形態では、この係合の作業を、上記壁パネル１に固定された横配置の第１手摺２１ａおよび縦配置の第２手摺２１ｂを掴んで行う。上記第１手摺２１ａおよび第２手摺２１ｂは、この実施形態では、工場出荷段階で上記壁パネル１に取り付けられているが、このような取付は行わず、上記壁パネル１において、上記第１手摺２１ａおよび第２手摺２１ｂを取り付けるビス（締結部材）用の締結用穴（下穴）が加工済であり、上記締結用穴にビスをねじ込んで上記第１手摺２１ａおよび第２手摺２１ｂを上記壁パネル１に取り付けてもよい。また、この係合状態において、上記壁パネル１の下面と上記横桟１１の下面が略面一になる。
【００３５】
上記壁パネル１の係合凸部１ｂを上記横桟１１により形成される係合凹部１１ｂに係合する構造であれば、上記壁パネル１を上記室内７の壁７１に固定する作業が容易になる。また、上記係合凸部１ｂにおける二重板部１ｃの下側が折り返しによって丸みを帯びていると、上記係合が円滑に行える利点がある。また、上記傾斜部１１ｃが形成されていると、上記二重板部１ｃが上記傾斜部１１ｃに導かれて上記係合凹部１１ｂに嵌るので、嵌めやすく、しかもガタツキが生じにくい。
【００３６】
そして、上記の係合状態において、上記壁パネル１の上部を上記壁７１に固定する。上記壁パネル１の上部には、当該壁パネル１の幅よりも狭い長さのＬ字のアングル部材１２が当該壁パネル１の工場出荷段階で取り付け済である。また、上記アングル部材１２の立上片には、当該アングル部材１２を固定するタッピングネジ１００が挿通される挿通孔１２ａおよび上記カウンター３に係合して当該カウンター３を位置決めする係合突起１２ｂが形成されており、上記アングル部材１２の水平片には、当該アングル部材１２に上記カウンターを固定するビス１０１を挿通する挿通孔１２ｃが形成されている。
【００３７】
次に、図６および図７に示すように、上記アングル部材１２に上記カウンター３を取り付ける。上記カウンター３の背面には、上記アングル部材１２の立上片が納まる凹部３１が形成されており、また、この凹部３１には、上記係合突起１２ｂが嵌る嵌合穴３２が形成されている。上記カウンター３の背面側を上記アングル部材１２の立上片に押し当てて、上記係合突起１２ｂを嵌合穴３２に嵌めた状態で、図８に示すように、ビス１０１を上記アングル部材１２の水平片の下から上記挿通孔１２ｃに差し込んでねじ込む。
【００３８】
次に、図９（Ａ）に示すように、上記紙巻器２２を上記壁パネル１に取り付ける。上記壁パネル１には、上記紙巻器２２を取り付けるビス（締結部材）１０１用の締結用穴（下穴）１ｆが加工済であり、上記締結用穴１ｆにビス１０１をねじ込んで上記紙巻器２２を上記壁パネル１に取り付ける。さらに、上記呼び出し器２３を上記壁パネル１に取り付ける。上記壁パネル１には、上記呼び出し器２３の配線口１ｇが加工済である。上記配線口１ｇは上記壁パネル１の裏面に貫通している。
【００３９】
なお、図９（Ｂ）に示すように、横配置の第１手摺２１ａおよび縦配置の第２手摺２１ｂが一体である一体型手摺２１Ａを用いる場合には、上記第１手摺２１ａと第２手摺２１ｂの交差位置の近くに上記紙巻器２２を取り付ける。この態様においても、上記紙巻器２２を取り付けるビス（締結部材）１０１用の締結用穴１ｆが加工済である。このタイプの場合、上記紙巻器２２の天端は、上記壁パネル１の下面１ｅから２５０ｍｍ以上４５０ｍｍ以下（望ましくは、３００ｍｍ以上４００ｍｍ以下）の高さに位置しており、この実施形態では、３５０ｍｍ程度の高さに位置する。これによれば、上記壁パネル１を、室内７の床面から離間させて、上記紙巻器２２を適切な位置に配置できる。
【００４０】
上記の室内壁構造の施工方法であれば、簡単な作業で室内７の壁７１に壁パネル１を取り付けることができる。
【００４１】
上記の室内壁構造の施工方法において、上記室内７の床面に置かれて上記横桟１１の少なくとも高さ位置について位置決めする治具４を用いて上記横桟１１を固定すると、上記横桟１１の配置についての墨出し作業が不要になり、また、上記横桟１１を治具４で位置決めした状態で当該横桟１１の固定または仮固定を行えばよいので、上記壁パネル１の固定作業を一人で行うことも可能になる。
【００４２】
上記の室内壁構造の施工方法において、上記壁パネル１の背面側の係合凸部１ｂを上記係合凹部１１ｂに係合する作業を、上記壁パネル１に固定された横配置の第１手摺２１ａおよび縦配置の第２手摺２１ｂを掴んで行うと、この係合する作業を、上記壁パネル１と上記壁７１や奥壁との間に指を挟むようなこともなく、簡単に行えるようになる。
【００４３】
次に、この実施形態の室内壁構造作製キットについて説明する。この実施形態の室内壁構造作製キットは、上記壁パネル１、上記横桟１１、上記手摺２１、上記カウンター３、上記紙巻器２２、上記呼び出し器２３、必要本数のタッピングネジ１００、必要本数のビス（締結部材）１０１、上記治具４を備える。
【００４４】
また、他の実施形態の室内壁構造作製キットは、高さが１０００ｍｍ以上１３００ｍｍ以下であって室内の床面から下面を離間させた取り付けが可能な壁パネル１と、上記壁パネル１に取り付けられる少なくとも横配置の第１手摺２１ａを備えており、上記壁パネル１には、上記第１手摺２１ａが、当該第１手摺２１ａの上下方向中心を上記壁パネルの下面から５０ｍｍ以上２５０ｍｍ以下の高さに位置させて取り付けられているか、または、上記第１手摺２１ａを上記高さで取り付けるために、上記第１手摺２１ａを固定する締結部材（ボルト等）の締結用穴が加工済である。これによれば、上記壁パネル１を、室内７の床面から離間させて、上記第１手摺を適切な高さに配置できる。なお、この例では、上記第１手摺２１ａおよび上記第２手摺２１ｂは、壁パネル１の裏面側から上記締結部材によって上記壁パネル１に固定される。
【００４５】
また、他の実施形態の室内壁構造作製キットは、高さが１０００ｍｍ以上１３００ｍｍ以下であって室内の床面から下面が離間した取り付けが可能な壁パネル１と、上記壁パネル１に取り付けられる紙巻器２２を備えており、上記壁パネル１には、上記紙巻器２２が、当該紙巻器２２の天端を上記壁パネル１の下面から１００ｍｍ以上３００ｍｍ以下の高さに位置させて取り付けられているか、または、上記紙巻器２２を上記高さで取り付けるために、上記紙巻器２２を固定するビス（締結部材）１０１の締結用穴１ｆが加工済である。これによれば、上記壁パネル１を、室内７の床面から離間させて、上記紙巻器２２を適切な高さに配置できる。
【００４６】
上記室内壁構造作製キットは、上記壁パネル１を室内７の壁に取り付けるための上記横桟１１と、室内７の床面に置かれて上記横桟１１の少なくとも高さ位置について位置決めする上記治具４と、をさらに備えてもよい。これによれば、上記横桟１１の配置についての墨出し作業が不要になり、また、上記壁パネル１の固定作業を一人で行うことも可能になる。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４８】
１      ：壁パネル
１ａ    ：凹状背面部
１ｂ    ：係合凸部
１ｃ    ：二重板部
１ｄ    ：周囲背面部
１ｅ    ：下面
１ｆ    ：締結用穴
１ｇ    ：配線口
３      ：カウンター
４      ：治具
４ａ    ：段部
７      ：室内
１１    ：横桟
１１ａ  ：段状部
１１ｂ  ：係合凹部
１２    ：アングル部材
１２ａ  ：挿通孔
１２ｂ  ：係合突起
１２ｃ  ：挿通孔
２１    ：手摺
２１Ａ  ：一体型手摺
２１ａ  ：第１手摺
２１ｂ  ：第２手摺
２２    ：紙巻器
２３    ：呼び出し器
３１    ：凹部
３２    ：嵌合穴
４１    ：受け面
７１    ：壁
７１ａ  ：下地鉄板
７１ｂ  ：ボード
７２    ：便器
１００  ：タッピングネジ
１０１  ：ビス（締結部材）
【図１】
2020159075.tif 000003
【図２】
2020159075.tif 000004
【図３】
2020159075.tif 000005
【図４】
2020159075.tif 000006
【図５】
2020159075.tif 000007
【図６】
2020159075.tif 000008
【図７】
2020159075.tif 000009
【図８】
2020159075.tif 000010
【図９】
2020159075.tif 000011